(57)【要約】【課題】  橋の主塔にガイドレールやポストを設ける必要をなくす。【解決手段】  旋回機能と主塔ブロック１１を下側に取り付ける機能を備えた２つの架台ユニット２ａ，２ｂに設けたブラケット１２に、主ジブ３の両端部を、取外し可能な連結ピン１３を介しそれぞれ起伏可能に連結する。主ジブ３の両端部付近の上側に補助ジブ４ａ，４ｂを設ける。一方の架台ユニット２ａ上のウインチユニット６ａのワイヤロープ８ａを、補助ジブ４ａの先端部を経て主ジブ３の他端部に結着する。他方の架台ユニット２ｂ上のウインチユニット６ｂのワイヤロープ８ｂを、補助ジブ４ｂの先端部を経て主ジブ３の一端部に結着する。橋の主塔１４ａ，１４ｂの頂部に各架台ユニット２ａ，２ｂの片方を交互に取り付けた状態で、主ジブ３の端部より連結解除したもう片方の架台ユニット２ａ，２ｂにより各主塔１４ａ，１４ｂへの主塔ブロック１１の架設を交互に行わせる。【選択図】図１
2010222927.tif 000002
【特許請求の範囲】
【請求項１】
旋回機能と塔状構造物を建設するための該塔状構造物の分割ブロックを下面に取り付けて吊る機能を備えた２つの架台ユニットを隣接する塔状構造物に対応させてそれぞれ備えて、各々対応する塔状構造物の分割ブロック頂部に着脱可能に取り付けるようにし、且つ長手方向の両端部を上記各架台ユニットに設けてあるブラケットに、着脱可能に連結ピンを介してそれぞれ起伏可能に取り付ける主ジブを備え、更に、上記一方の架台ユニットのブラケットに主ジブの長手方向一端部を起伏可能に連結した状態で、該主ジブの長手方向他端部との連結を解除した上記他方の架台ユニットを上記主ジブの長手方向他端部よりワイヤロープを介して吊り上げ下げするためのウインチユニットと、上記他方の架台ユニットのブラケットに主ジブの長手方向他端部を起伏可能に連結した状態で、該主ジブの長手方向一端部との連結を解除した上記一方の架台ユニットを上記主ジブの長手方向一端部より別のワイヤロープを介して吊り上げ下げするための別のウインチユニットとを備えてなる構成を有することを特徴とする塔状構造物の架設装置。
【請求項２】
主ジブの長手方向他端部との連結を解除した他方の架台ユニットを主ジブの長手方向他端部よりワイヤロープを介して吊り上げ下げするためのウインチユニットを、上記他方の架台ユニット上に設け、且つ主ジブの長手方向一端部との連結を解除した一方の架台ユニットを、主ジブの長手方向一端部より別のワイヤロープを介して吊り上げ下げするための別のウインチユニットを上記一方の架台ユニット上に設けるようにした請求項１記載の塔状構造物の架設装置。
【請求項３】
主ジブの長手方向両端部付近の上側に、該主ジブに対して上下方向に回動姿勢を変更可能な補助ジブをそれぞれ設け、他方の架台ユニット上に設けたウインチユニットより巻き出すワイヤロープを、上記主ジブの長手方向他端部付近に設けてある補助ジブ先端部のジブ先端シーブブロックに掛け回してから上記主ジブの長手方向一端部の所要個所に結着し、且つ一方の架台ユニット上に設けた別のウインチユニットより巻き出す別のワイヤロープを、上記主ジブの長手方向一端部付近に設けてある補助ジブ先端部のジブ先端シーブブロックに掛け回してから上記主ジブの長手方向他端部の所要個所に結着するようにした請求項２記載の塔状構造物の架設装置。
【請求項４】
主ジブの長手方向中間部に、該主ジブの全長を伸縮させるための伸縮機構を備えるようにした請求項１、２又は３記載の塔状構造物の架設装置。
【発明の詳細な説明】
【技術分野】
【０００１】
本発明は、塔状構造物の分割ブロックを順次積み上げて塔状構造物を建設する際に、上記塔状構造物の分割ブロックの架設に用いる塔状構造物の架設装置に関するものである。
【背景技術】
【０００２】
鋼製の橋の主塔、たとえば、吊橋の主塔を建設する場合は、建設材料として、たとえば、鋼製の分割ブロックとしての主塔ブロックを下層より順次積み上げる建設手法が用いられており、この種の主塔ブロックを積み重ねるよう架設するために用いる架設手段としては、上記建設すべき吊橋の主塔の高さが比較的低くて、主塔ブロックを積み上げる高さ位置が比較的低い場合や、架設作業の対象となる主塔ブロックの重量が比較的軽くて、吊り上げが必要とされる重量が比較的軽い場合は、一般に、クローラクレーンや、フローティングクレーンを用いて上記主塔ブロックの架設を行うことが多く行われている。
【０００３】
一方、上記建設すべき吊橋の主塔の高さが高くて、主塔ブロックを高所まで吊り上げて架設する必要が生じる場合や、吊り上げ作業の対象となる主塔ブロックの重量が大きい場合の架設手段としては、主塔本体に取り付けた上下方向のガイドレールに沿ってクレーンをせり上がるようにしたクリーパークレーンを用いて上記主塔ブロックの架設を行うことが多く行われている（たとえば、特許文献１参照）。
【０００４】
更に、高さの高い塔状の構造物を建設する場合に、建設材料となる鋼製の分割ブロックを吊り上げて架設するために用いる別の架設手段としては、塔状構造物に沿って独立したポスト（マスト）を設けて、該ポストに沿ってクレーンがせり上がるようにした形式のクライミングクレーンを用いることも従来提案されている（たとえば、特許文献２参照）。
【先行技術文献】
【特許文献】
【０００５】
【特許文献１】特開昭５６−１１９０８０号公報
【特許文献２】特開平５−２８６６９４号公報
【発明の概要】
【発明が解決しようとする課題】
【０００６】
ところが、吊橋の主塔のような高さの高い塔状構造物を建設する際、建設材料となる分割ブロックを架設するための架設手段として、特許文献１に示されたようなクリーパークレーンを用いる場合は、主塔本体に対してガイドレールやその付属機器を設ける必要があるため、作業が煩雑になるという問題があると共に、主塔本体を痛める影響が懸念される。
【０００７】
又、上記塔状構造物の分割ブロックの架設手段として特許文献２に示されたようなクライミングクレーンを用いる場合は、塔状構造物の建設のため新たに製作するとコストが嵩むというのが実状であり、又、建設する塔状構造物の高さが高ければ高いほど、必要とされるポストの高さも高くなるため、該ポストの構築にコストが嵩むというのが実状である。
【０００８】
そこで、本発明は、塔状構造物の分割ブロックを順次積み上げるよう架設して塔状構造物を建設する場合に、該塔状構造物自体にクレーンを昇降させるためのレールを設ける必要がなく、又、塔状構造物と独立したポストの設置も不要とすることができて、コストの引き下げを図ることが可能な塔状構造物の架設装置を提供しようとするものである。
【課題を解決するための手段】
【０００９】
本発明は、上記課題を解決するために、請求項１に対応して、旋回機能と塔状構造物を建設するための該塔状構造物の分割ブロックを下面に取り付けて吊る機能を備えた２つの架台ユニットを隣接する塔状構造物に対応させてそれぞれ備えて、各々対応する塔状構造物の分割ブロック頂部に着脱可能に取り付けるようにし、且つ長手方向の両端部を上記各架台ユニットに設けてあるブラケットに、着脱可能に連結ピンを介してそれぞれ起伏可能に取り付ける主ジブを備え、更に、上記一方の架台ユニットのブラケットに主ジブの長手方向一端部を起伏可能に連結した状態で、該主ジブの長手方向他端部との連結を解除した上記他方の架台ユニットを上記主ジブの長手方向他端部よりワイヤロープを介して吊り上げ下げするためのウインチユニットと、上記他方の架台ユニットのブラケットに主ジブの長手方向他端部を起伏可能に連結した状態で、該主ジブの長手方向一端部との連結を解除した上記一方の架台ユニットを上記主ジブの長手方向一端部より別のワイヤロープを介して吊り上げ下げするための別のウインチユニットとを備えてなる構成を有する構成とする。
【００１０】
又、上記構成において、主ジブの長手方向他端部との連結を解除した他方の架台ユニットを主ジブの長手方向他端部よりワイヤロープを介して吊り上げ下げするためのウインチユニットを、上記他方の架台ユニット上に設け、且つ主ジブの長手方向一端部との連結を解除した一方の架台ユニットを、主ジブの長手方向一端部より別のワイヤロープを介して吊り上げ下げするための別のウインチユニットを上記一方の架台ユニット上に設けるようにした構成とする。
【００１１】
更に、上記構成において、主ジブの長手方向両端部付近の上側に、該主ジブに対して上下方向に回動姿勢を変更可能な補助ジブをそれぞれ設け、他方の架台ユニット上に設けたウインチユニットより巻き出すワイヤロープを、上記主ジブの長手方向他端部付近に設けてある補助ジブ先端部のジブ先端シーブブロックに掛け回してから上記主ジブの長手方向一端部の所要個所に結着し、且つ一方の架台ユニット上に設けた別のウインチユニットより巻き出す別のワイヤロープを、上記主ジブの長手方向一端部付近に設けてある補助ジブ先端部のジブ先端シーブブロックに掛け回してから上記主ジブの長手方向他端部の所要個所に結着するようにした構成とする。
【００１２】
上述の各構成において、主ジブの長手方向中間部に、該主ジブの全長を伸縮させるための伸縮機構を備えるようにした構成とする。
【発明の効果】
【００１３】
本発明の塔状構造物の架設装置によれば、以下のような優れた効果を発揮する。  
（１）旋回機能と塔状構造物を建設するための該塔状構造物の分割ブロックを下面に取り付けて吊る機能を備えた２つの架台ユニットを隣接する塔状構造物に対応させてそれぞれ備えて、各々対応する塔状構造物の分割ブロック頂部に着脱可能に取り付けるようにし、且つ長手方向の両端部を上記各架台ユニットに設けてあるブラケットに、着脱可能に連結ピンを介してそれぞれ起伏可能に取り付ける主ジブを備え、更に、上記一方の架台ユニットのブラケットに主ジブの長手方向一端部を起伏可能に連結した状態で、該主ジブの長手方向他端部との連結を解除した上記他方の架台ユニットを上記主ジブの長手方向他端部よりワイヤロープを介して吊り上げ下げするためのウインチユニットと、上記他方の架台ユニットのブラケットに主ジブの長手方向他端部を起伏可能に連結した状態で、該主ジブの長手方向一端部との連結を解除した上記一方の架台ユニットを上記主ジブの長手方向一端部より別のワイヤロープを介して吊り上げ下げするための別のウインチユニットとを備えてなる構成としてあるので、複数の塔状構造物の建設現場にて、或る塔状構造物の頂部に一方の架台ユニットを取り付けた状態で、該一方の架台ユニットに長手方向の一端部を連結して支持させる主ジブの長手方向他端部と、他方の架台ユニットの連結を解除することで、該主ジブの長手方向他端部より吊る他方の架台ユニットの下側に取り付ける塔状構造物の分割ブロックを、別の塔状構造物に架設することができる。その後、上記別の塔状構造物に架設した分割ブロック上に取り付けてある他方の架台ユニットに、上記主ジブの長手方向他端部を連結して支持させ、この状態で、該主ジブの長手方向一端部と、一方の架台ユニットの連結を解除することで、該主ジブの長手方向一端部より吊る一方の架台ユニットの下側に塔状構造物の分割ブロックを、上記或る塔状構造物又は更に別の塔状構造物に架設することができる。したがって、上記各架台ユニットを、主ジブを連結して支持させるための架台ユニットと、主ジブの自由端側となる端部より塔状構造物の分割ユニットを吊るための架台ブロックとして交互に用いることで、主ジブを連結して支持させるための架台ユニットを、上記複数の塔状構造物の間で順次盛り換えながら、該複数の塔状構造物を建設することができる。  
（２）よって、上記塔状構造物の分割ブロックの架設を行う際に、複数の塔状構造物に上下方向のレールを設けたり、該複数の塔状構造物の他に独立したポストを設置する必要もないことから、建設対象となる上記複数の塔状構造物の高さが高い場合であってもコストが大幅に増加する虞を未然に防止して、建設コストを引き下げる効果が期待できる。  
（３）主ジブの長手方向他端部との連結を解除した他方の架台ユニットを主ジブの長手方向他端部よりワイヤロープを介して吊り上げ下げするためのウインチユニットを、上記他方の架台ユニット上に設け、且つ主ジブの長手方向一端部との連結を解除した一方の架台ユニットを、主ジブの長手方向一端部より別のワイヤロープを介して吊り上げ下げするための別のウインチユニットを上記一方の架台ユニット上に設けるようにした構成とすることにより、上記主ジブの長手方向の両端部との連結を解除した側の架台ユニットを、該架台ユニット上のウインチユニットによるワイヤロープの巻取りと巻出しにより昇降させる構成を容易に実現できる。  
（４）主ジブの長手方向両端部付近の上側に、該主ジブに対して上下方向に回動姿勢を変更可能な補助ジブをそれぞれ設け、他方の架台ユニット上に設けたウインチユニットより巻き出すワイヤロープを、上記主ジブの長手方向他端部付近に設けてある補助ジブ先端部のジブ先端シーブブロックに掛け回してから上記主ジブの長手方向一端部の所要個所に結着し、且つ一方の架台ユニット上に設けた別のウインチユニットより巻き出す別のワイヤロープを、上記主ジブの長手方向一端部付近に設けてある補助ジブ先端部のジブ先端シーブブロックに掛け回してから上記主ジブの長手方向他端部の所要個所に結着するようにした構成とすることにより、各架台ユニット上のウインチユニットからのワイヤロープを主ジブの起伏用として用いる場合と、各架台ユニットの吊り上げ下げに用いる場合の２つの異なる用途で、上記各補助ジブを主ジブに対して角度を可変させる機能に基づいて上記各補助ジブの主ジブに対する回動姿勢を使い分けることで、上記各ウインチユニットからのワイヤロープラインを自在に変更することが可能になる。したがって、たとえば、主ジブの長手方向一端部又は他端部より対応する架台ユニットを吊り上げ下げする際には上記主ジブの長手方向一端部側又は他端部側のワイヤロープ転向点までの距離を伸張することが可能になり、又、上記各ウインチユニットからのワイヤロープで主ジブを起伏させる際には該各ウインチユニットからワイヤロープを垂直に巻き出すことが可能になる等、上記補助ジブを上記２つの異なる用途で使用することが可能となる。  
（５）主ジブの長手方向中間部に、該主ジブの全長を伸縮させるための伸縮機構を備えるようにした構成とすることにより、上記主ジブの長手方向両端部に取り付ける各架台ユニットの配置間隔を、複数の塔状構造物同士の水平方向の配置間隔と、少なくとも１つの分割ブロック分の高さ寸法が異なる複数の塔状構造物の頂部同士の配置間隔に対応させることで、上記複数の塔状構造物のうちのいずれかに個別に取り付けられている各架台ユニット同士の間で、片方の架台ユニットに長手方向の片方の端部が連結されて支持されている主ジブの長手方向の別の端部を、別の架台ユニットに連結させた後、上記片方の架台ユニットに対する上記主ジブの長手方向の片方の端部の連結を解除して、主ジブを上記別の架台ユニットに支持させる作業を容易に且つ確実に行うことができる。
【図面の簡単な説明】
【００１４】
【図１】本発明の塔状構造物の架設装置の実施の一形態を示す概略側面図である。
【図２】図１の架設装置における片方の架台ユニットの部分を拡大して示す側面図である。
【図３】図２のＡ−Ａ方向矢視図である。
【図４】吊橋の主塔を建設する場合における図１の架設装置を使用した主塔ブロックの架設手順を示すもので、一方の主塔の頂部から隣接する他方の主塔上に新たな主塔ブロックを載置させるために他方の架台ユニットを主ジブから切り離して吊り上げ下げできるようした状態を示す概略側面図である。
【図５】図１の架設装置を使用した主塔ブロックの架設手順における図４に続く手順を示すもので、他方の主塔上に新たな主塔ブロックを載置した状態を示す概略側面図である。
【図６】図１の架設装置を使用した主塔ブロックの架設手順における図５に続く手順を示すもので、他方の主塔上に取り付けた新たな主塔ブロック上の他方の架台ユニットに主ジブの長手方向他端部を連結した状態を示す概略側面図である。
【図７】図１の架設装置を使用した主塔ブロックの架設手順における図６に続く手順を示すもので、他方の主塔の頂部から隣接する一方の主塔上に新たな主塔ブロックを載置させるために一方の架台ブロックを主ジブから切り離して吊り上げ下げできるようした状態を示す概略側面図である。
【図８】図１の架設装置を使用した主塔ブロックの架設手順における図７に続く手順を示すもので、一方の主塔上に新たな主塔ブロックを載置して連結した状態を示す概略側面図である。
【図９】図１の架設装置を使用した主塔ブロックの架設手順における図８に続く手順を示すもので、一方の主塔上に取り付けた新たな主塔ブロック上の一方の架台ユニットに主ジブの長手方向一端部を連結した状態を示す概略側面図である。
【図１０】図１の架設装置を使用した主塔ブロックの架設手順における図９に続く手順を示すもので、図４に示す場合と同様の状態を示す概略側面図である。
【発明を実施するための形態】
【００１５】
以下、本発明を実施するための形態を図面を参照して説明する。
【００１６】
図１乃至図１０は本発明の塔状構造物の架設装置の実施の一形態として、塔状構造物の分割ブロックとしての主塔ブロックを積み上げるように架設して吊橋の主塔を建設する場合の適用例を示すもので、以下のようにしてある。
【００１７】
すなわち、本発明の塔状構造物の架設装置１は、旋回機能と下面側に主塔ブロック吊下げ機能を備えてなる水平な２台の架台ユニット２ａ，２ｂと、長手方向の一端部と他端部を上記一方の架台ユニット２ａと他方の架台ユニット２ｂに、それぞれ起伏可能に且つ着脱可能に取り付ける主ジブ３と、上記主ジブ３の長手方向両端部付近の上側に、それぞれ基端部を該主ジブ３に対し上下方向に回動可能に取り付けた補助ジブ４ａ，４ｂと、該各補助ジブ４ａ，４ｂの上記主ジブ３に対する角度姿勢を個別に調整するための補助ジブ角度調整用シリンダ５ａ，５ｂとを備える。
【００１８】
更に、上記各架台ユニット２ａ，２ｂ上に個別に設けたウインチユニット６ａ，６ｂと、一方の架台ユニット２ａ上のウインチユニット６ａより巻き出して、上記主ジブ３の一端部付近に設けてある一方の補助ジブ４ａの先端部に設けた一方のジブ先端シーブブロック７ａと上記一方の架台ユニット２ａ上の図示しない架台上シーブブロックに掛け回し、更に、上記一方のジブ先端シーブブロック７ａを経て、上記主ジブ３の長手方向他端部の所要個所に結着させた第１のワイヤロープ８ａと、他方の架台ユニット２ｂ上のウインチユニット６ｂより巻き出して、上記主ジブ３の他端部付近に設けてある他方の補助ジブ４ｂの先端部に設けた他方のジブ先端シーブブロック７ｂと上記他方の架台ユニット２ｂ上の図示しない架台上シーブブロックに掛け回し、更に、上記他方のジブ先端シーブブロック７ｂを経て、上記主ジブ３の長手方向一端部の所要個所に結着させた第２のワイヤロープ８ｂとを備えてなる構成とする。
【００１９】
詳述すると、上記各架台ユニット２ａ，２ｂは、それぞれ上下２層構造として、下層部９と上層部１０との間に図示しない駆動装置により駆動可能な旋回環を備えて、下層部９に対し上層部を相対的に旋回駆動できるようにしてある。
【００２０】
更に、上記各架台ユニット２ａ，２ｂの下層部９は吊り具として機能するように、該下層部９の下面側は、主塔ブロック１１に着脱自在に取り付けることができるようにしてあり、後述するように該架台ユニット２ａ又は２ｂのいずれか一方を吊り上げ下げするときに、該架台ユニット２ａ又は２ｂのいずれか一方で主塔ブロック１１を吊ることができるようにしてある。なお、上記架台ユニット２ａ又は２ｂの下層部９の下側に設けてある主塔ブロック１１への取り付け部分は、該架台ユニット２ａ又は２ｂの外方へ張り出すように配置する上記主ジブ３の重量と、該主ジブ３の張り出した端部側に設けてある補助ジブ４ａ又は４ｂ及び架台ユニット２ａ又は２ｂ自体の重量と、その下側に取り付けて吊り下げられる別の主塔ブロック１１の重量とを支持し得る取り付け強度を有するようにしてあるものとする。
【００２１】
上記各架台ユニット２ａ，２ｂには、それぞれ上層部１０の外周縁部の一個所に水平方向の図示しないピン孔を備えた主ジブ用のブラケット１２が設けてあり、上記主ジブ３の長手方向両端部にそれぞれ水平方向に設けてある図示しないピン孔を、上記ブラケット１２の上記ピン孔に一致させた状態で、該主ジブ３とブラケット１２の各ピン孔に連結ピン１３を抜き取り可能に挿通させることで、該主ジブ３の長手方向の両端部を、上記各架台ユニット２ａ，２ｂ上のブラケット１２に着脱可能に連結できるようにした構成としてある。これにより、上記他方の架台ユニット２ｂ上のブラケット１２と主ジブ３の長手方向他端部とを連結する連結ピン１３を抜き取って連結を解除した状態では、一方の架台ユニット２ａ上のウインチユニット６ａにより、一方の補助ジブ４ａのジブ先端シーブブロック７ａを経て上記主ジブ３の長手方向他端部の所要個所に結着してある第１のワイヤロープ８ａの巻き取りと巻き出しを行うことに伴い、上記主ジブ３を、上記一方の架台ユニット２ａに対して、該一方の架台ユニット２ａ上のブラケット１２と主ジブ３の長手方向一端部とを連結している連結ピン１３を中心に起伏作動させることができるようにしてある。又、上記一方の架台ユニット２ａ上のブラケット１２と主ジブ３の長手方向一端部とを連結する連結ピン１３を抜き取って連結を解除した状態では、他方の架台ユニット２ｂ上のウインチユニット６ｂにより、他方の補助ジブ４ｂのジブ先端シーブブロック７ｂを経て上記主ジブ３の長手方向一端部の所要個所に結着してある第２のワイヤロープ８ｂの巻き取りと巻き出しを行うことに伴い、上記主ジブ３を、他方の架台ユニット２ｂに対して、該他方の架台ユニット２ｂ上のブラケット１２と主ジブ３の長手方向他端部とを連結している連結ピン１３を中心に起伏作動させることができるようにしてある。
【００２２】
上記主ジブ３は、上記各補助ジブ角度調整用シリンダ５ａ，５ｂの取付個所と干渉しない長手方向の中間部に、伸縮機構３ａを備えて、長手方向の全長を所要の範囲で伸縮させることができるようにした構成としてある。なお、上記主ジブ３の伸縮機構３ａは、遠隔操作で該主ジブ３を伸縮させて長手方向の全長を調整すると共に、主ジブ３のクレーンのジブとしての使用時には、所要の長さに調整した状態で伸縮動作をロックできる機能を有するものとしてある。これにより、上記主ジブ３の全長を収縮させた状態では、水平状態に配置する主ジブ３の長手方向両端部にブラケット１２をそれぞれ連結した状態の各架台ユニット２ａと２ｂの配置間隔を、吊橋の一対の主塔１４ａ，１４ｂにおける該各主塔１４ａと１４ｂ同士の水平方向の配置間隔が最も小さくなる個所に対応した寸法とすることができるようにしてある。又、上記主ジブ３をクレーンのジブとして使用するときには、該主ジブ３の長手方向両端部に配置される各架台ユニット２ａと２ｂの配置間隔が、上記各主塔１４ａと１４ｂで少なくとも１つの主塔ブロック１１分の高さが相違する状態のときの該各主塔１４ａと１４ｂの頂部同士の配置間隔に対応させた寸法となるように、該主ジブ３の全長を伸長させることができるようにしてある。
【００２３】
上記各補助ジブ４ａ，４ｂは、図２に示すように（なお、図２では主ジブ３の長手方向一端部側のみ示してある、図３も同様）、基端部を上記主ジブ３の長手方向の両端部付近に設けたブラケット１５にピン１６を介して回動可能に連結してあり、更に、該各補助ジブ４ａ，４ｂの長手方向中間部と、上記主ジブ３における上記各補助ジブ４ａ，４ｂ取付位置よりも所要寸法長手方向中間部寄りの所要個所との間に、上記補助ジブ角度調整用シリンダ５ａ，５ｂをそれぞれ介装した構成としてある。これにより、該各補助ジブ角度調整用シリンダ５ａ，５ｂの伸縮作動により、上記各補助ジブ４ａ，４ｂの主ジブ３に対する角度姿勢を拡縮できるようにしてある。よって、上記他方の架台ユニット２ｂ上のブラケット１２と主ジブ３の長手方向他端部との連結を解除した状態では、上記一方の補助ジブ角度調整用シリンダ５ａにより、上記一方の補助ジブ４ａを、主ジブ３を起伏作動させるための第１のワイヤロープ８ａのガイサポートとして機能させて、一方の架台ユニット２ａ上のウインチユニット６ａより上記第１のワイヤロープ８ａをほぼ垂直方向に巻き出すことができるようにするための角度姿勢に配置すると共に、上記他方の補助ジブ角度調整用シリンダ５ｂにより、上記他方の補助ジブ４ｂを、上記主ジブ３の他端部より外側に張り出す角度姿勢とさせることで、上記主ジブ３をクレーンのジブとして使用するときのジブの有効長（第２のワイヤロープ８ｂの転向点までの距離）をより長く設定できるようにするための先端ジブとして機能させることができるようにしてある。又、上記一方の架台ユニット２ａ上のブラケット１２と主ジブ３の長手方向一端部との連結を解除した状態では、上記他方の補助ジブ角度調整用シリンダ５ｂにより、上記他方の補助ジブ４ｂを、主ジブ３を起伏作動させるための第２のワイヤロープ８ｂのガイサポートとして機能させて、他方の架台ユニット２ｂ上のウインチユニット６ｂより上記第２のワイヤロープ８ｂをほぼ垂直方向に巻き出すことができるようにするための角度姿勢に配置すると共に、上記一方の補助ジブ角度調整用シリンダ５ａにより、上記一方の補助ジブ４ａを、上記主ジブ３の一端部より外側に張り出す角度姿勢とさせることで、上記主ジブ３をクレーンのジブとして使用するときのジブの有効長（第１のワイヤロープ８ａの転向点までの距離）をより長く設定できるようにするための先端ジブとして機能させることができるようにしてある。
【００２４】
上記各ウインチユニット６ａ，６ｂは、対応する各架台ユニット２ａ，２ｂと上記主ジブ３の対応する端部との連結を解除した状態のときに該各架台ユニット２ａ，２ｂに作用している荷重と、各架台ユニット２ａ，２ｂの下側に吊る主塔ブロック１１の重量の和の荷重の吊能力を有するものとしてある。
【００２５】
更に、上記各ウインチユニット６ａ，６ｂが設けてある各架台ユニット２ａ，２ｂは、それぞれのブラケット１２と、上記主ジブ３の対応する端部との連結を解除した状態では、上記各ウインチユニット６ａ，６ｂより巻き出されるワイヤロープ８ａ，８ｂを介してほぼ水平姿勢で吊り下げられる重量バランスを備えるようにしてあるものとする。これにより、上記他方の架台ユニット２ｂと上記主ジブ３の他端部との連結を解除した状態では、該他方の架台ユニット２ｂ上のウインチユニット６ｂによるワイヤロープ８ｂの巻き出しと、巻き取りにより、上記他方の架台ユニット２ｂの下降と、上昇を行わせることができるようにしてある。又、上記一方の架台ユニット２ａと上記主ジブ３の一端部との連結を解除した状態では、該一方の架台ユニット２ａ上のウインチユニット６ａによるワイヤロープ８ａの巻き出しと、巻き取りにより、上記一方の架台ユニット２ａの下降と、上昇を行わせることができるようにしてある。
【００２６】
なお、上記各架台ユニット２ａ，２ｂと共に下降、上昇するようにしてある各ウインチユニット６ａ，６ｂを駆動するための給電は、該各架台ユニット２ａ，２ｂ上に設ける図示しない発電装置により行わせるようにすればよい。あるいは、該各架台ユニット２ａ，２ｂの上下方向の変位に追従し得る電源コードを用いて外部より行わせるようにしてもよい。
【００２７】
又、図示してないが、上記各ウインチユニット６ａ，６ｂ、更には、主ジブ３の伸縮機構３ａを操作するための運転席は、上記各架台ユニット２ａ，２ｂ上にそれぞれ設けるようにしてもよく、あるいは、上記各架台ユニット２ａ，２ｂとは別の個所にオペレート室を設けた構成としてもよい。なお、上記各ウインチユニット６ａ，６ｂの操作は、無線等で遠隔操作するようにすればよい。
【００２８】
以上の構成としてある本発明の塔状構造物の架設装置１を用いて吊橋の一対の主塔１４ａ，１４ｂの建設を行う場合は、以下の図４から図１０の手順で行うようにする。
【００２９】
すなわち、図４に示す如く、予め地上に主塔１４ａ，１４ｂを構築するための主塔ブロック１１を１段ずつ設置した状態で、一方の主塔１４ａの頂部に、上記本発明の塔状構造物の架設装置１における一方の架台ユニット２ａを設置すると共に、該一方の架台ユニット２ａのブラケット１２に、主ジブ３の長手方向の一端部を連結ピン１３を介して連結しておく。更に、上記主ジブ３の長手方向他端部と他方の架台ユニット２ｂのブラケット１２との連結は解除した状態としておく。この際、上記一方の架台ユニット２ａ上のウインチユニット６ａによる第１のワイヤロープ８ａの巻き出し量を調整することで、上記一方の架台ユニット２ａに対する主ジブ３の起伏を調整して、該主ジブ３を、上記一方の架台ユニット２ａのブラケット１２に取り付けてある長手方向の一端部よりも他端部の方が１つの主塔ブロック１１の高さ寸法分以上高くなるように水平方向より所要角度傾斜させた姿勢としておき、更に、上記各補助ジブ４ａ及び４ｂは、それぞれガイサポート及び主ジブ３の先端ジブとして機能させるための上記した所定の角度姿勢としておくようにする。これにより、上記一方の架台ユニット２ａの旋回機能により、該一方の架台ユニット２ａの上層部１０と一緒に、上記主ジブ３と、該主ジブ３の長手方向他端部に設けてある補助ジブ４ｂのジブ先端シーブブロック７ｂより第２のワイヤロープ８ｂを介して吊り下げられた他方の架台ユニット２ｂとを、水平方向に旋回させることができるようになる。又、上記他方の架台ユニット２ｂ上のウインチユニット６ｂからの上記第２のワイヤロープ８ｂの巻き出しと巻き取りにより、上記他方の架台ユニット２ｂに下降と上昇を行わせることができるようになる。
【００３０】
よって、この状態で、地上付近まで下降させた上記他方の架台ユニット２ｂの下側に新たな主塔ブロック１１を取り付けた後、上記他方の架台ユニット２ｂ上のウインチユニット６ｂによる第２のワイヤロープ８ｂの巻き取りにより該他方の架台ユニット２ｂと一緒に上記新たな主塔ブロック１１を吊り上げ、更に、上記一方の架台ユニット２ａの旋回機能により、上記主ジブ３を旋回させて、図５に示すように、上記他方の架台ユニット２ｂに取り付けてある新たな主塔ブロック１１を、既設の主塔ブロック１１により形成されている他方の主塔１４ｂの頂部に載置する。
【００３１】
次いで、上記他方の主塔１４ｂの既設の主塔ブロック１１の上端部に、その上側に載置した新たな主塔ブロック１１を連結する。これにより、上記他方の主塔１４ｂは１つの主塔ブロック１１分上方に延長されるようになる。
【００３２】
上記のようにして他方の主塔１４ｂの延長が行われた後は、上記一方の架台ユニット２ａ上のウインチユニット６ａによる主ジブ３の起伏の調整と、上記主ジブ３の伸縮機構３ａによる該主ジブ３の全長の調整を行うことで、図６に示すように、主ジブ３の長手方向他端部を、上記他方の主塔１４ｂの最上部に連結された主塔ブロック１１の上側に取り付けてある他方の架台ユニット２ｂのブラケット１２に嵌合させて、該ブラケット１２に連結ピン１３を介して連結する。
【００３３】
その後、上記一方の主塔１４ａの頂部に取り付けてある一方の架台ユニット２ａのブラケット１２と、主ジブ３の長手方向一端部とを連結している連結ピン１３を取外して、該主ジブ３の長手方向一端部と上記一方の架台ユニット２ａとの連結を解除した後、上記他方の架台ユニット２ｂ上のウインチユニット６ｂによる第２のワイヤロープ８ｂを所要寸法巻き取ることで、図７に示す如く、上記他方の架台ユニット２ｂに対して主ジブ３が所要角度上向きに傾斜した姿勢となるように起伏を調整し、更に、上記各補助ジブ４ａ及び４ｂを、それぞれ主ジブ３の先端ジブ及びガイサポートとして機能させるための上記した所定の角度姿勢としておくようにする。
【００３４】
更に、上記一方の架台ユニット２ａを、上記一方の主塔１４ａの頂部から取り外すようにする。これにより、上記他方の架台ユニット２ｂの旋回機能により、該他方の架台ユニット２ｂの上層部１０と一緒に、上記主ジブ３と、該主ジブ３の長手方向一端部に設けてある補助ジブ４ａのジブ先端シーブブロック７ａより第１のワイヤロープ８ａを介して吊り下げられた一方の架台ユニット２ａとを、水平方向に旋回させることができるようになる。又、上記一方の架台ユニット２ａ上のウインチユニット６ａからの上記第１のワイヤロープ８ａの巻き出しと巻き取りにより、上記一方の架台ユニット２ｂに下降と上昇を行わせることができるようになる。
【００３５】
よって、この状態で、上記一方の架台ユニット２ａを地上付近まで下降させて、該一方の架台ユニット２ａの下側に新たな主塔ブロック１１を取り付け、その後、上記一方の架台ユニット２ａ上のウインチユニット６ａによる第１のワイヤロープ８ａの巻き取りにより該一方の架台ユニット２ａと一緒に上記新たな主塔ブロック１１を吊り上げ、更に、上記他方の架台ユニット２ｂの旋回機能により、上記主ジブ３を旋回させて、図８に示すように、上記一方の架台ユニット２ａに取り付けてある新たな主塔ブロック１１を、既設の主塔ブロック１１により形成されている上記一方の主塔１４ａの頂部に載置して、該新たな主塔ブロック１１を、上記一方の主塔１４ａの既設の主塔ブロック１１の上側に連結する。これにより、上記他方の一方の主塔１４ａは１つの主塔ブロック１１分上方に延長されるようになる。
【００３６】
上記のようにして一方の主塔１４ａの延長が行われた後は、上記他方の架台ユニット２ｂ上のウインチユニット６ｂによる主ジブ３の起伏の調整と、上記主ジブ３の伸縮機構３ａによる該主ジブ３の全長の調整を行うことで、図９に示すように、主ジブ３の長手方向一端部を、上記一方の主塔１４ａの最上部に連結された主塔ブロック１１の上側に取り付けてある一方の架台ユニット２ａのブラケット１２に嵌合させて、該ブラケット１２に連結ピン１３を介して連結する。
【００３７】
しかる後、上記他方の主塔１４ｂの頂部に取り付けてある他方の架台ユニット２ｂのブラケット１２と、主ジブ３の長手方向他端部とを連結している連結ピン１３を取外して、該主ジブ３の長手方向他端部と上記他方の架台ユニット２ｂとの連結を解除すると共に、該他方の架台ユニット２ｂを、上記他方の主塔１４ｂの頂部より取り外した後、上記一方の架台ユニット２ａ上のウインチユニット６ａによる第１のワイヤロープ８ａを所要寸法巻き取ることで、図１０に示す如く、上記一方の架台ユニット２ａに対して主ジブ３が所要角度上向きに傾斜した姿勢となるように起伏を調整し、更に、上記各補助ジブ４ａ及び４ｂを、それぞれガイサポート及び主ジブ３の先端ジブとして機能させるための上記した所定の角度姿勢に配置することで、主塔ブロック１１が一段ずつ積み上げられて上方に延長された各主塔１４ａ，１４ｂ上にて、本発明の塔状構造物の架設装置１が、図４に示した状態と同様の状態とされる。
【００３８】
よって、その後は、上記図４乃至図１０の手順を順次繰り返すことで、上記吊橋の各主塔１４ａ，１４ｂにて、主塔ブロック１１が１つずつ順次積み上げるように連結されることから、該各主塔１４ａ，１４ｂの建設が行われるようになる。
【００３９】
このように、本発明の塔状構造物の架設装置１によれば、吊橋の一対の主塔１４ａと１４ｂを建設する際に、主ジブ３の起伏を支持する側となる架台ユニット２ａと２ｂの取り付け側を上記各主塔１４ａ，１４ｂで交互に盛り換えて、主ジブ３の起伏を支持する側とならない片方の架台ユニット２ａ又は２ｂを、主塔ブロック１１吊り上げ用の吊具として機能させて、上記各主塔１４ａと１４ｂの頂部に主塔ブロック１１を交互に吊り上げて連結することができる。
【００４０】
したがって、本発明の塔状構造物の架設装置１を使用する際に、主塔ブロック１１を積み上げるようにして形成させる吊橋の各主塔１４ａ，１４ｂには、上下方向のガイドレールや該ガイドレールに沿ってクレーンをせり上げるための機器を設ける必要がなく、又、上記各主塔１４ａ，１４ｂの他に、独立したポストを設置する必要もない。よって、本発明の塔状構造物の架設装置１では、建設対象となる主塔１４ａ，１４ｂの高さが高い場合であってもコストが大幅に増加する虞はないため、上記吊橋の主塔１４ａ，１４ｂの建設コストを引き下げる効果が期待できる。
【００４１】
なお、本発明は上記実施の形態のみに限定されるものではなく、上記主ジブ３の全長や、伸縮可能な寸法範囲、補助ジブ４ａ，４ｂの長さ寸法は、建設すべき吊橋の主塔１４ａ，１４ｂの間隔や、該各主塔１４ａ，１４ｂを建設するために積み上げるよう順次連結して用いる１つの主塔ブロック１１の上下方向寸法に応じて適宜変更してもよい。
【００４２】
主ジブ３の伸縮機構３ａは、該主ジブ３に作用する荷重に耐え得る剛性を得られるようにしてあれば、いかなる形式の伸縮機構３ａを採用してもよい。
【００４３】
架台ユニット２ａ，２ｂは、上層部１０に設けたブラケット１２に、主ジブ３の対応する端部を連結ピン１３を介して取外し可能に連結でき、又、下層部９の下面側に分割ユニットとしての主塔ブロック１１を吊り下げることができるようにしてあれば、上記架台ユニット２ａ，２ｂの下層部９と上層部１０の平面形状は互いに相違していてもよい。
【００４４】
本発明の塔状構造物の架設装置１は、分割ブロックを順次積み上げるようにして建設する形式の塔状構造物を比較的近接させて複数建設する場合であれば、複数のタワーの建設や、複数の煙突の建設等、吊橋の主塔１４ａ，１４ｂ以外のいかなる塔状構造物の建設時における該塔状構造物の分割ブロックの架設にも適用できる。
【００４５】
その他本発明の要旨を逸脱しない範囲内で種々変更を加え得ることは勿論である。
【符号の説明】
【００４６】
１  塔状構造物の架設装置
２ａ，２ｂ  架台ユニット
３  主ジブ
３ａ  伸縮機構
４ａ，４ｂ  補助ジブ
６ａ，６ｂ  ウインチユニット
７ａ，７ｂ  ジブ先端シーブブロック
８ａ，８ｂ  ワイヤロープ
１１  主塔ブロック（塔状構造物の分割ブロック）
１２  ブラケット
１３  連結ピン
１４ａ，１４ｂ  主塔（塔状構造物）
【図１】
2010222927.tif 000003
【図２】
2010222927.tif 000004
【図３】
2010222927.tif 000005
【図４】
2010222927.tif 000006
【図５】
2010222927.tif 000007
【図６】
2010222927.tif 000008
【図７】
2010222927.tif 000009
【図８】
2010222927.tif 000010
【図９】
2010222927.tif 000011
【図１０】
2010222927.tif 000012